(57)【要約】【課題】  長期信頼性の高い圧力逃がし弁を提供する。【解決手段】  弁本体ボディ２内に、圧力入力路３と圧力逃がし路４とを設ける。圧力入力路３の出側には弁座５を設けて、弁座５の弁孔６を通じて圧力入力路３と圧力逃がし路４とを連通し、付勢ばね１８によって弁部７を５弁座側に付勢して閉弁方向の付勢力を印加する。圧力入力路３の圧力が設定圧以下のときには付勢ばね１８の付勢力によって弁部７が弁座５と当接して弁孔６の入口端を閉じる閉弁動作を行い、圧力入力路３の圧力が設定圧よりも大のときには付勢ばね１８の付勢力に抗して弁部７が弁座５から離れて６弁孔を開口する開弁動作を行う。弁座５を、弁孔６を囲む態様で前記弁部７側に突出した環状突起部８を複数互いに間隔を介して同心環状に配置して形成する。【選択図】        図１
2006336900.tif 000002
【特許請求の範囲】
【請求項１】
弁本体ボディ内に、圧力入力路と圧力逃がし路とが設けられ、また、前記圧力入力路の出側には弁座が設けられ、該弁座の弁孔を通じて前記圧力入力路と前記圧力逃がし路とが連通され、さらに、前記弁座側に弁部を付勢して閉弁方向の付勢力を印加する付勢手段を有して、前記圧力入力路の圧力が設定圧以下のときには前記付勢手段の付勢力によって前記弁部が前記弁座と当接して前記弁孔の入口端を閉じる閉弁動作を行い、前記圧力入力路の圧力が設定圧よりも大のときには前記付勢手段の付勢力に抗して前記弁部が前記弁座から離れて前記弁孔を開口する開弁動作を行う圧力逃がし弁において、前記弁座は前記弁孔を囲む態様で前記弁部側に突出した環状突起部を複数互いに間隔を介して同心環状に配置して形成されていることを特徴とする圧力逃がし弁。
【請求項２】
環状突起部の先端側は弁部と面接触する当接平坦面を有していることを特徴とする請求項１記載の圧力逃がし弁。
【請求項３】
複数の環状突起部は、最も内側に配置されている環状突起部の当接平坦面の弁孔径方向の幅が最も小さく形成されていることを特徴とする請求項２記載の圧力逃がし弁。
【請求項４】
複数の環状突起部は、内側に配置されている環状突起部ほど当接平坦面の弁孔径方向の幅が小さく形成されていることを特徴とする請求項３記載の圧力逃がし弁。
【請求項５】
複数の環状突起部は、最も内側に配置されている環状突起部の突出先端高さが最も高く形成されていることを特徴とする請求項１乃至請求項４のいずれか一つに記載の圧力逃がし弁。
【請求項６】
複数の環状突起部は、内側に配置されている環状突起部ほど突出先端高さが高く形成されていることを特徴とする請求項５記載の圧力逃がし弁。
【発明の詳細な説明】
【技術分野】
【０００１】
本発明は、例えば電気温水器のタンク出口側に設けられて、タンク内の圧力が異常圧力になった際に、その圧力を逃がすために用いられる等、配設場所において圧力を逃がすために用いられる圧力逃がし弁に関するものである。
【背景技術】
【０００２】
図６には、電気温水器を有する給湯システムが模式図により示されている。同図において、電気温水器１９は、筐体２０内に、湯水を貯水するタンク２１を収容して形成されており、タンク２１内には、下部側にヒータ２２が設けられている。タンク２１の下部側には、タンク２１に水を給水する給水管２３と、排水弁３７を備えた排水管３８とが設けられている。
【０００３】
給水管２３には減圧弁２４と水栓２７が介設されており、給水管２３は外部給水管２８に連通している。外部給水管２８には止水栓２９が設けられている。また、前記給水管２３は分岐され、前記筐体２０の外部に設けられた通路２５を介して給水栓２６側に導かれている。
【０００４】
前記タンク２１の上部側には圧力逃がし弁１を備えた圧力逃がし管３０と給湯管３１とが設けられ、給湯管３１は外部給湯管３２を介して給湯栓３３に導かれている。
【０００５】
この給湯システムにおいて、給湯栓３３が開かれるとタンク２１内の湯が給湯路３１を介して蛇口４０から出湯し、その分だけ外部給水管２８と給水管２３を通してタンク２１内に水が給水される。また、前記給水栓２６が開かれると、外部給水管２８と給水管２３、通路２５を順に通った水が蛇口４０から出水する。
【０００６】
前記圧力逃がし弁１は、タンク２１内の水温が上昇して圧力が高くなったときに、この圧力を逃がすために設けられているものであり、図７には従来の圧力逃がし弁１の一例が示されている。
【０００７】
同図に示すように、圧力逃がし弁１は金属製の弁本体ボディ２を有し、該弁本体ボディ２は、真鍮や黄銅、青銅鋳物等の鍛造により形成されている。弁本体ボディ２内には、圧力入力路３と圧力逃がし路４とが直交する態様で設けられており、圧力入力路３の出側には弁座５が設けられ、該弁座５の弁孔６を通じて前記圧力入力路３と前記圧力逃がし路４とが連通するように構成されている。前記弁座５は弁本体ボディ２と一体的に形成されており、弁座５の壁部は先端側に向かうにつれて肉薄に形成されている。
【０００８】
また、弁座５と対向して弁部７が配置されており、該弁部７を前記弁孔６から離れる方向と弁孔６に近づく方向にスライド移動させるスライドシャフト１１が弁部７に固定されている。スライドシャフト１１はカバー部材１０に収容されている。前記弁部７の外周側はダイアフラム１７と成しており、該ダイアフラム１７の外周縁端側はカバー部材１０と前記弁本体ボディ２の固定壁１２とにより挟持固定されている。弁部７は例えばゴム等の弾性を有するエラストマー等により形成されている。
【０００９】
前記スライドシャフト１１の外周側には、一端側をばね受け部１３に係止し、他端側をばね受け部１４に係止した付勢ばね１８が設けられており、該付勢ばね１８は、前記弁部７を前記弁座５側に付勢して閉弁方向の付勢力を印加する付勢手段として機能する。付勢ばね１８の付勢力によって、ばね受け部１３が弁部７側に付勢され、ばね受け部１４が調節ねじ１５側に付勢されている。
【００１０】
調節ねじ１５は、カバー部材１０にねじ嵌合した状態でスライドシャフト１１の軸長方向に摺動自在に設けられており、調整ねじ１５の操作によってばね受け部１４を弁孔６側に近づける方向と弁孔６側から遠ざかる方向とにスライド移動することにより、付勢ばね１８の付勢力が調節される構成と成している。
【００１１】
前記スライドシャフト１１の一端側は前記カバー部材１０から突出し、その突出先端側には手動レバー３５が設けられている。手動レバー３５は、手動によりスライドシャフト１１を移動させて弁部７の開閉動作を行うものである。
【００１２】
この圧力逃がし弁１は、前記圧力入力路３の圧力が設定圧以下のときには前記付勢ばね１８の付勢力によって前記弁部７が前記弁座５と当接して前記弁孔６の入口端を閉じる閉弁動作を行い、前記圧力入力路３の圧力が設定圧よりも大のときには前記付勢ばね１８の付勢力に抗して前記弁部７が前記弁座５から離れて前記弁孔６を開口する開弁動作を行うものある。
【発明の開示】
【発明が解決しようとする課題】
【００１３】
ところで、上記圧力逃がし弁１は、上記のように、弁部７と弁座５との当接と非当接とにより弁の開閉動作を行うが、弁座５の壁部は先端側に向かうにつれて肉薄に形成されて、先端が丸みをおびているので、弁の開動作に伴って、圧力入力路３側から圧力逃がし路４側への流体（図６に示したような電気温水器に設けられている圧力逃がし弁１においては、湯や蒸気）の流れが生じると、この流体が繰り返し、弁部７との接触面積が小さい弁座５の先端を通過することによって弁座先端部に腐食や損傷が生じやすい。
【００１４】
特に、弁座５が弁本体ボディ２と共に真鍮等の亜鉛を含む素材によって形成されている場合には、前記流れによって脱亜鉛現象が生じて、弁座５の先端部がより一層損傷しやすい。
【００１５】
また、弁座５の壁部が先端側に向かうにつれて肉薄に形成されていると、弁の開閉に伴い、弁座５と弁部７との当接と非当接とを繰り返し行うことによっても、弁部６と当たる際の衝撃が、おもに弁座５の先端側に強くに加えられて、肉薄の弁座先端部に腐食や損傷が生じることもある。
【００１６】
このように、弁座５の先端部が損傷してしまうと、閉弁動作時に弁部５の先端部と弁部７とが密接に当接することができず、閉弁動作に支障が生じてしまうことになるので、その分だけ圧力逃がし弁１の寿命が短くなってしまうといった問題があった。
【００１７】
本発明は上記課題を解決するためになされたものであり、その目的は、弁孔を有する弁座の先端側の腐食や損傷により寿命が短くなることを抑制できる、長期信頼性の高い圧力逃がし弁を提供することにある。
【課題を解決するための手段】
【００１８】
本発明は上記目的を達成するために、次のような構成をもって課題を解決する手段と成している。すなわち、第１の発明の圧力逃がし弁は、弁本体ボディ内に、圧力入力路と圧力逃がし路とが設けられ、また、前記圧力入力路の出側には弁座が設けられ、該弁座の弁孔を通じて前記圧力入力路と前記圧力逃がし路とが連通され、さらに、前記弁座側に弁部を付勢して閉弁方向の付勢力を印加する付勢手段を有して、前記圧力入力路の圧力が設定圧以下のときには前記付勢手段の付勢力によって前記弁部が前記弁座と当接して前記弁孔の入口端を閉じる閉弁動作を行い、前記圧力入力路の圧力が設定圧よりも大のときには前記付勢手段の付勢力に抗して前記弁部が前記弁座から離れて前記弁孔を開口する開弁動作を行う圧力逃がし弁において、前記弁座は前記弁孔を囲む態様で前記弁部側に突出した環状突起部を複数互いに間隔を介して同心環状に配置して形成されている構成をもって課題を解決する手段としている。
【００１９】
また、第２の発明は、上記第１の発明の構成に加え、前記環状突起部の先端側は弁部と面接触する当接平坦面を有している構成をもって課題を解決する手段としている。
【００２０】
さらに、第３の発明は、上記第２の発明の構成に加え、前記複数の環状突起部は、最も内側に配置されている環状突起部の当接平坦面の弁孔径方向の幅が最も小さく形成されている構成をもって課題を解決する手段としている。
【００２１】
さらに、第４の発明は、上記第３の発明の構成に加え、前記複数の環状突起部は、内側に配置されている環状突起部ほど当接平坦面の弁孔径方向の幅が小さく形成されている構成をもって課題を解決する手段としている。
【００２２】
さらに、第５の発明は、上記第１乃至第４のいずれか一つの発明の構成に加え、前記複数の環状突起部は、最も内側に配置されている環状突起部の突出先端高さが最も高く形成されている構成をもって課題を解決する手段としている。
【００２３】
さらに、第６の発明は、上記第５の発明の構成に加え、前記複数の環状突起部は、内側に配置されている環状突起部ほど突出先端高さが高く形成されている構成をもって課題を解決する手段としている。
【発明の効果】
【００２４】
本発明によれば、圧力入力路と圧力逃がし路とが、圧力入力路の出側に設けられた弁座の弁孔を通じて連通され、圧力入力路の圧力が設定圧以下のときには、弁座側に弁部を付勢して閉弁方向の付勢力を印加する付勢手段の付勢力によって前記弁部が前記弁座と当接して前記弁孔の入口端を閉じる閉弁動作を行い、前記圧力入力路の圧力が設定圧よりも大のときには前記付勢手段の付勢力に抗して前記弁部が前記弁座から離れて前記弁孔を開口する開弁動作を行うが、前記弁座の構成を上記構成とすることにより、弁座の先端側の損傷や腐食により圧力逃がし弁の寿命が短くなることを抑制できる。
【００２５】
つまり、本発明において、前記弁座は、前記弁孔を囲む態様で前記弁部側に突出した環状突起部を複数互いに間隔を介して同心環状に配置して形成されているので、弁の開弁動作に伴い、ラビリンス効果によって（つまり、環状突起部が弁孔の半径方向に間隔を持ちながら流体の流れに対する抵抗を与えることによって）、弁座近傍を流れる流体の流速を遅くすることができ、流体の流れによる弁座の損傷や腐食を抑制できるし、弁座が真鍮等の亜鉛を含む部材によって形成されている場合には、前記流れによる脱亜鉛現象を抑制できる。
【００２６】
特に、最近では、電気温水器やコジェネレーション給湯熱源装置等に適用されている減圧弁の設定圧力を高めており、給湯能力の大型化、給湯能力アップ等、機能性向上により圧力逃がし弁の設定圧も高まることから、開弁動作時の圧力入力路から圧力逃がし路に流れる流速も高くなる。
【００２７】
したがって、従来例の場合には、流体の流れによる弁座の腐食や損傷がより生じやすくなると考えられるが、それに対し、本発明の圧力逃がし弁は、上記ラビリンス効果による流速減速効果によって流体の流れによる弁座の腐食や損傷を抑制できるので、長期信頼性が非常に高い圧力逃がし弁を実現でき、それにより、圧力逃がし弁を設けたシステムのコスト低減を図ることができる。
【００２８】
また、本発明によれば、弁座の環状突起部は複数形成されているので、たとえ複数の環状突起部のうち１つの環状突起部に損傷や腐食が生じても、別の環状突起部が弁の閉弁動作時に弁部に当接すれば、弁座と弁部とを密接に当接させることができるので、支障なく閉弁動作を行うことができる。
【００２９】
したがって、本発明によれば、弁座の先端側の損傷や腐食により圧力逃がし弁の寿命が短くなることを抑制でき、耐久性が高く、長期信頼性を高い、優れた圧力逃がし弁を実現でき、それにより、圧力逃がし弁を設けたシステムのコスト低減を図ることができる。
【００３０】
また、本発明において、環状突起部の先端側は弁部と面接触する当接平坦面を有している構成によれば、開弁動作に伴う流体の流れや、開閉動作を繰り返すことにより弁座が弁部と当たる際の衝撃によって、弁座の先端側の環状突起部が損傷することを抑制でき、より一層長期信頼性の高い圧力逃がし弁を実現できる。
【００３１】
さらに、本発明において、複数の環状突起部は、最も内側に配置されている環状突起部の当接平坦面の弁孔径方向の幅が最も小さく形成されている構成によれば、弁の閉動作（閉弁動作）時に、付勢手段により弁部を弁座に付勢する力を最内側の環状突起部に最も強くかけることができる。
【００３２】
そうすると、一般に、ゴム等の弾性を有する部材により形成された弁部に最内側の環状突起部の当接平坦面を食い込ませることができるので、弁孔に近く、弁部と弁座との密接状態を最も高めたい領域において弁部と弁座との密接状態を高めることができ、圧力逃がし弁の信頼性をより一層高めることができる。
【００３３】
さらに、本発明において、複数の環状突起部は、内側に配置されている環状突起部ほど当接平坦面の弁孔径方向の幅が小さく形成されている構成によれば、弁の閉動作時に、付勢手段により弁部を弁座に付勢する力を外側の環状突起部ほど弱く、内側の環状突起部ほど強くかけ、最内側の環状突起部に最も強くかけることができる。
【００３４】
そのため、内側に配置されている環状突起部ほど弁部との密接状態が高まり、弁孔に近く、弁部と弁座との密接状態を最も高めたい領域において弁部と弁座との密接状態を高めることができ、圧力逃がし弁の信頼性をより一層高めることができる。
【００３５】
さらに、本発明において、複数の環状突起部は、最も内側に配置されている環状突起部の突出先端高さが最も高く形成されている構成によれば、弁の閉動作時に、付勢手段により弁部を弁座に付勢する力によって、一般に、ゴム等の弾性を有する部材により形成された弁部に最内側の環状突起部の突出先端側を食い込ませることができる。そのため、弁孔に近く、弁部と弁座との密接状態を最も高めたい領域において弁部と弁座との密接状態を高めることができ、圧力逃がし弁の信頼性をより一層高めることができる。
【００３６】
さらに、本発明において、複数の環状突起部は、内側に配置されている環状突起部ほど突出先端高さが高く形成されている構成によれば、弁の閉動作時に、付勢手段により弁部を弁座に付勢する力によって、内側に配置されている環状突起部ほど、一般に、ゴム等の弾性を有する部材により形成された弁部に環状突起部の突出先端側を食い込ませることができる。
【００３７】
そのため、内側に配置されている環状突起部ほど、弁部との密接状態が高まり、弁孔に近く、弁部と弁座との密接状態を最も高めたい領域において弁部と弁座との密接状態を高めることができ、圧力逃がし弁の信頼性をより一層高めることができる。
【発明を実施するための最良の形態】
【００３８】
以下、本発明の実施の形態を図面に基づき説明する。なお、本実施形態例の説明において、従来例と同一名称部分には同一符号を付し、その重複説明は省略する。
【００３９】
図１には、本発明に係る圧力逃がし弁の一実施形態例が断面図により示されている。本実施形態例は、図７に示した従来例とほぼ同様に構成されており、本実施形態例が従来例と異なる特徴的なことは、前記弁座５が、前記弁孔６を囲む態様で前記弁部７側に突出した環状突起部８を、複数互いに間隔を介して同心環状に配置して形成されていることである。
【００４０】
図２（ａ）には、弁座５を弁部７側から見た正面図が示されており、図２（ｂ）には、弁座５の断面図が示されている。これらの図に示すように、本実施形態例において、前記環状突起部８は、２つ（２環）形成されており、これらの環状突起部８の先端側は、いずれも弁部７と面接触する当接平坦面９を有している。
【００４１】
本実施形態例は以上のように構成されており、本実施形態例の圧力逃がし弁１は、従来例と同様の動作によって、弁部７の移動に伴う開弁動作により、圧力入力路３に接続されている側の圧力を圧力逃がし路４から逃がす動作を行うが、本実施形態例では、弁座５が、弁孔６を囲む態様で前記弁部７側に突出した環状突起部８を複数互いに間隔を介して同心環状に配置して形成されているので、以下の効果を発揮することができる。
【００４２】
つまり、本実施形態例によれば、弁座５に上記構成の複数の環状突起部８を設けることにより、弁の開弁動作に伴い、ラビリンス効果によって（つまり、環状突起部８が弁孔６の半径方向に間隔を持ちながら流体の流れに対する抵抗を与えることによって）、弁座５の近傍を流れる流体の流速を遅くすることができ、流体の流れによる弁座５の損傷や腐食を抑制できるし、弁座５が真鍮等の亜鉛を含む部材によって形成されている場合には、前記流れによる脱亜鉛現象を抑制できる。
【００４３】
また、本実施形態例によれば、弁座５に上記構成の複数の環状突起部８を設けることにより、たとえ複数の環状突起部８のうち１つの環状突起部８に損傷や腐食が生じても、別の環状突起部８が弁の閉弁動作時に弁部に当接すれば、弁座５と弁部７とを密接に当接させることができるので、支障なく閉弁動作を行うことができる。
【００４４】
したがって、本実施形態例によれば、弁座５の先端側の損傷や腐食により圧力逃がし弁１の寿命が短くなることを抑制でき、耐久性が高く、長期信頼性を高い、優れた圧力逃がし弁１を実現でき、それにより、圧力逃がし弁１を設けたシステムのコスト低減を図ることができる。
【００４５】
また、本実施形態例によれば、環状突起部８の先端側は弁部７と面接触する当接平坦面９を有しているので、開弁動作に伴う流体の流れや、弁の開閉動作を繰り返すことにより弁部７と弁座５が当たる際の衝撃によって、弁座５の先端側の環状突起部８が損傷することを抑制でき、より一層長期信頼性の高い圧力逃がし弁１を実現できる。
【００４６】
なお、本発明は上記の各実施形態例に限定されることなく、様々な実施の形態を採り得る。例えば、上記実施形態例では、圧力逃がし弁１の弁座５には、２つの環状突起部８を形成したが、例えば図３に示すように、弁座５に、３つの環状突起部８を設けてもよいし、４つ以上の環状突起部８を設けてもよい。
【００４７】
また、例えば図４（ａ）に示すように、環状突起部８は、弁部７に面接触する当接平坦面９を有する構成とする場合に、最も内側に配置されている環状突起部８の当接平坦面９の弁孔径方向の幅を最も小さく形成するとよい。このように構成すると、弁の閉動作時に、付勢ばね１８により弁部７を弁座４に付勢する力を最内側の環状突起部８に最も強くかけることができる。
【００４８】
弁部７は、一般に、ゴム等の弾性を有する部材により形成されているので、上記のように、最も内側に配置されている環状突起部８の当接平坦面９の弁孔径方向の幅を最も小さく形成すると、付勢ばね１８の付勢力を最内側の環状突起部８に最も強くかけて、弁部７に最内側の環状突起部８の当接平坦面９を食い込ませることができる。つまり、この構成によって、弁孔６に近く、弁部７と弁座５との密接状態を最も高めたい領域において弁部７と弁座５との密接状態を高めることができ、圧力逃がし弁１の信頼性をより一層高めることができる。
【００４９】
さらに、図４（ｂ）に示すように、複数の環状突起部８は、内側に配置されている環状突起部８ほど当接平坦面９の弁孔径方向の幅を小さく形成してもよい。この場合、弁の閉動作時に、付勢ばね１８により弁部７を弁座５に付勢する力を外側の環状突起部８ほど弱く、内側の環状突起部８ほど強くかけ、最内側の環状突起部８に最も強くかけることができる。
【００５０】
そのため、この構成によれば、内側に配置されている環状突起部８ほど弁部との密接状態が高まり、弁孔６に近く、弁部７と弁座５との密接状態を最も高めたい領域において弁部７と弁座５との密接状態を高めることができ、圧力逃がし弁１の信頼性をより一層高めることができる。
【００５１】
さらに、例えば図５（ａ）に示すように、複数の環状突起部８は、最も内側に配置されている環状突起部８の突出先端高さを最も高く形成してもよい。このように構成すると、弁の閉動作時に、付勢ばね１８により弁部７を弁座５に付勢する力によって、一般に、ゴム等の弾性を有する部材により形成された弁部７に最内側の環状突起部の突出先端側を食い込ませることができる。そのため、弁孔６に近く、弁部７と弁座４との密接状態を最も高めたい領域において弁部７と弁座５との密接状態を高めることができ、圧力逃がし弁１の信頼性をより一層高めることができる。
【００５２】
さらに、例えば図５（ｂ）に示すように、複数の環状突起部８は、内側に配置されている環状突起部８ほど突出先端高さを高く形成してもよい。このように構成すると、弁の閉動作時に、付勢ばね１８により弁部７を弁座６に付勢する力によって、内側に配置されている環状突起部８ほど、一般に、ゴム等の弾性を有する部材により形成された弁部７に環状突起部８の突出先端側を食い込ませることができる。
【００５３】
そのため、内側に配置されている環状突起部８ほど、弁部７との密接状態が高まり、弁孔６に近く、弁部７と弁座５との密接状態を最も高めたい領域において弁部７と弁座５との密接状態を高めることができ、圧力逃がし弁１の信頼性をより一層高めることができる。
【００５４】
また、複数の環状突起部８は、当接平坦面９を有する構成とする場合、最も内側に配置されている環状突起部８の突出先端高さを最も高く形成し、かつ、当接平坦面９の弁孔径方向の幅を小さく形成してもよい。この構成の場合も、最も内側に配置されている環状突起部８が、弁部７との密接状態が高まり、弁孔６に近く、弁部７と弁座５との密接状態を最も高めたい領域において弁部７と弁座５との密接状態を高めることができ、圧力逃がし弁１の信頼性をより一層高めることができる。
【００５５】
さらに、複数の環状突起部８は、当接平坦面９を有する構成とする場合、内側に配置されている環状突起部８ほど突出先端高さを高く、かつ、当接平坦面９の弁孔径方向の幅を小さく形成してもよい。この場合も、内側に配置されている環状突起部８ほど、弁部７との密接状態が高まり、弁孔６に近く、弁部７と弁座５との密接状態を最も高めたい領域において弁部７と弁座５との密接状態を高めることができ、圧力逃がし弁１の信頼性をより一層高めることができる。
【００５６】
さらに、複数の環状突起部８は当接平坦面９を有していなくてもよい。例えば環状突起部８の先端を図７に示した弁座５の先端のように丸みをおびた形状としてもよい。この場合でも、複数の環状突起部８が、弁孔６を囲む態様で弁部７側に突出して形成され、複数互いに間隔を介して同心環状に配置されていれば、ラビリンス効果による流速減速効果によって流体の流れによる弁座５の腐食や損傷を抑制できるし、複数の環状突起部８のうち１つの環状突起部８に損傷や腐食が生じても、別の環状突起部８が弁の閉弁動作時に弁部７に当接することにより、弁座５と弁部７とを密接に当接させることができるので、支障なく閉弁動作を行うことができる。
【００５７】
ただし、環状突起部８は、当接平坦面９を有する方が流れや衝撃による損傷、腐食等が生じにくいので好ましい。
【００５８】
さらに、上記実施形態例では、圧力入力路３と圧力逃がし路４とが直交する態様で形成されていたが、圧力入力路３と圧力逃がし路４との配置関係は特に限定されるものでなく、適宜設定されるものである。
【００５９】
さらに、上記実施形態例では、弁本体ボディ２は真鍮等の金属により形成したが、弁本体ボディ２は、耐熱性に優れたプラスチック等により形成してもよい。この場合でも、本発明の圧力逃がし弁は、弁座に環状突起部を形成することにより、上記実施形態例と同様の効果を奏することができ、プラスチックボディとすることにより、コスト低減効果を奏することができる。
【００６０】
さらに、上記実施形態例では、圧力逃がし弁１を電気温水器に適用する例を述べたが、本発明の圧力逃がし弁は、電気温水器以外でも、コジェネレーション給湯熱源装置のタンク近傍に設ける等、タンク近傍に設けることができる。また、本発明の圧力逃がし弁の配置位置は、タンク近傍とは限らず、通路途中に設けてもよく、本発明の圧力逃がし弁の配置構成や適用装置は適宜設定されるものである。
【図面の簡単な説明】
【００６１】
【図１】本発明に係る圧力逃がし弁の一実施形態例を断面図により示す要部構成図である。
【図２】上記実施形態例の弁座の構成を示す図であり、（ａ）は正面図、（ｂ）は断面図である。
【図３】本発明に係る圧力逃がし弁の他の実施形態例を断面図により示す要部構成図である。
【図４】本発明に係る圧力逃がし弁の他の実施形態例の弁座の構成を断面図により示す説明図である。
【図５】本発明に係る圧力逃がし弁のさらに他の実施形態例の弁座の構成を断面図により示す説明図である。
【図６】電気温水器を備えた給湯システムの例を示す説明図である。
【図７】従来の圧力逃がし弁の例を示す説明図である。
【符号の説明】
【００６２】
１  圧力逃がし弁
２  弁本体ボディ
３  圧力入力路
４  圧力逃がし路
５  弁座
６  弁孔
７  弁部
８  環状突起部
９  当接平坦面
１１  スライドシャフト
１３，１４  ばね受け部
１７  ダイアフラム
１８  付勢ばね
【図１】
2006336900.tif 000003
【図２】
2006336900.tif 000004
【図３】
2006336900.tif 000005
【図４】
2006336900.tif 000006
【図５】
2006336900.tif 000007
【図６】
2006336900.tif 000008
【図７】
2006336900.tif 000009